(57)【要約】【課題】対象物の微小な凹凸部まで届いて拭き取りができると共に、この凹凸部に引っ掛かることを防止した拭き取りサックを提供する。【解決手段】指を挿入可能な鞘状をなし、その外表面の少なくとも一部がマイクロファイバーからなる毛立長０．５〜１．５ｍｍのループパイル２ａ及び／又は毛立長１．０〜３．０ｍｍのカットパイル２ｂの織編物２から構成されている拭き取りサック１０である。【選択図】図１
2011194168.tif 000002
【特許請求の範囲】
【請求項１】
指を挿入可能な鞘状をなし、その外表面の少なくとも一部がマイクロファイバーからなる毛立長０．５〜１．５ｍｍのループパイル及び／又は毛立長１．０〜３．０ｍｍのカットパイルの織編物から構成されている拭き取りサック。
【請求項２】
開口端の内径が２０〜３０ｍｍであり、該開口端から先端までの長さが４０〜７０ｍｍである請求項１記載の拭き取りサック。
【請求項３】
２個の前記拭き取りサックを紐で繋いでなる請求項１又は２記載の拭き取りサック。
【発明の詳細な説明】
【技術分野】
【０００１】
この発明は、指に装着して対象物の拭き取りを行うサックに関する。
【背景技術】
【０００２】
マイクロファイバーを織った布地からなるメガネ拭き用のクロスが普及している。マイクロファイバーは１〜９μｍの太さを持ち、通常の繊維に比べて細いため、厚み数μｍの油膜に入り込み、汚れを拭き取ることができる。しかしながら、シート状のクロスは指で把持し難く、拭き取りがし難いという問題がある。
このようなことから、マイクロファイバー製のクロスを袋状の指サックに形成した技術が報告されている（特許文献１、２参照）。
【先行技術文献】
【特許文献】
【０００３】
【特許文献１】実用新案登録第3125186号公報
【特許文献３】実用新案登録第3125188号公報
【発明の概要】
【発明が解決しようとする課題】
【０００４】
しかしながら、平織りのクロスを袋状に形成した場合、メガネレンズ等の平面部分の拭き取り性は良好なものの、メガネの鼻パッド、蝶番、レンズのネジ止め部等の微小な凹凸部を拭き取り難い。又、この凹凸部は入り組んでいるため、凹凸部にクロスを強く届かせるとクロスが引っ掛かることがある。
従って、本発明は、対象物の微小な凹凸部まで届いて拭き取りができると共に、この凹凸部に引っ掛かることを防止した拭き取りサックの提供を目的とする。
【課題を解決するための手段】
【０００５】
上記課題を解決するため、本発明の拭き取りサックは、指を挿入可能な鞘状をなし、その外表面の少なくとも一部がマイクロファイバーからなる毛立長０．５〜１．５ｍｍのループパイル及び／又は毛立長１．０〜３．０ｍｍのカットパイルの織編物から構成されている。
このような構成とすると、パイルが対象物の微小な凹凸部まで届いて拭き取りができると共に、パイルの毛立長が長すぎてこの凹凸部に引っ掛かることを防止する。
【０００６】
開口端の内径が２０〜３０ｍｍであり、該開口端から先端までの長さが４０〜７０ｍｍであると好ましい。
２個の前記拭き取りサックを紐で繋いでなると好ましい。
【発明の効果】
【０００７】
この発明によれば、対象物の微小な凹凸部まで届いて拭き取りができると共に、この凹凸部に引っ掛かることを防止した拭き取りサックが得られる。
【図面の簡単な説明】
【０００８】
【図１】本発明の実施形態に係る拭き取りサック１０の斜視図である。
【図２】外表面を構成する織編物の断面図である。
【発明を実施するための形態】
【０００９】
以下、本発明の実施形態について説明する。図１は、本発明の実施形態に係る拭き取りサック１０の斜視図を示す。拭き取りサック１０は、指を１本又は２本挿入可能な鞘状をなし、その外表面２が織編物から構成されている。拭き取りサック１０は、織編物の布を縫って形成され、開口端４には伸縮性を有する素材が環状に縫い付けられている。又、２個の拭き取りサック１０が開口端４近傍で紐６で繋がれている。
そして、例えば親指と人差し指とをそれぞれ別の拭き取りサック１０に入れ、親指と人差し指とで拭き取り対象物を摘むようにして拭き取りを行うことができる。
開口端４の内径Ｌ１が２０〜３０ｍｍとし、開口端４から先端までの長さＬ２が４０〜７０ｍｍとすると、１つの拭き取りサック１０に１本又は２本の指を挿入できる寸法となるので好ましい。
【００１０】
図２は、拭き取りサック１０の外表面を構成する織編物２（この実施形態では、裏地がないため、外表面と織編物を同一の符号で表す）の断面図を示す。織編物２は、マイクロファイバーからなる毛立長ＬＡが０．５〜１．５ｍｍのループパイル２ａ、及び／又はマイクロファイバーからなる毛立長ＬＢが１．０〜３．０ｍｍのカットパイル２ｂの織編物である。
マイクロファイバーは１〜９μｍの太さを持ち、通常の繊維に比べて細いため、厚み数μｍの油膜に入り込み、汚れを拭き取ることができる。マイクロファイバーは例えばポリエステル、ナイロン等の合成繊維からなる。マイクロファイバーの材料がポリエステル又はナイロンを８０質量％以上含むことが好ましい。
【００１１】
マイクロファイバー繊維を平織りして袋状に形成した場合、メガネレンズ等の平面部分の拭き取り性は良好なものの、メガネの鼻パッド、蝶番、レンズのネジ止め部等の微小な凹凸部を拭き取り難い。そこで、ループパイル及び／又はカットパイルの織編物を用い、これを袋状に形成することで、入り組んだ凹凸部に柔軟なパイルが入り込み、拭き取り性が良好になる。
一方、入り組んだ凹凸部にパイルが入り込むと、パイルが引っ掛かることがある。このようなことから、各パイル２ａ、２ｂの毛立長ＬＡ、ＬＢを上記範囲に規定することで、入り組んだ凹凸部にパイルが引っ掛からずに拭き取りを行うことができる。なお、ループパイル２ａは環状になっていて、カットパイル２ｂよりも凹凸部に引っ掛かり易いため、ＬＡの方がＬＢよりも上下限が小さい。
つまり、ＬＡが０．５ｍｍ未満の場合、又はＬＢが１．０ｍｍ未満の場合、対象物の微小な凹凸部にパイルが入り込まず、拭き取りがし難い。一方、ＬＡが１．５ｍｍを超える場合、又はＬＢが３．０ｍｍを超える場合、対象物の微小な凹凸部にループパイルやカットパイルが引っ掛かる。
ここで、毛立長ＬＡ、ＬＢは、織編物２のベース面２Ｔに各パイル２ａ、２ｂが垂直に立ったときの先端までの長さであり、パイルがベース面２Ｔと角度を持っている場合は、垂直に立たせたときの長さを毛立長とする。又、毛立長は、織編物２の断面を光学顕微鏡で観察して測定することができる。
【００１２】
本発明において、織編物はループパイル又はカットパイルのいずれか一方のみを有してもよく、ループパイルとカットパイルを共に有してもよい。又、ループパイルやカットパイルの製造法は公知のものを用いることができる。
本発明において、外表面となる織編物に裏地を設けてもよい。
【００１３】
本発明は上記実施形態に限定されず、本発明の思想と範囲に含まれる様々な変形及び均等物に及ぶことはいうまでもない。例えば、外表面の一部が上記織編物から構成されていてもよい。
又、本発明の拭き取りサックの拭き取り対象物は、上記したメガネの他、宝石、各種工業部品や工業製品等、凹凸がある構造物であれば何でもよい。
【実施例】
【００１４】
以下、実施例を挙げて、本発明を具体的に説明するが、本発明は勿論これらの例に限定されるものではない。
【００１５】
表１に示す毛立長を有する直径３〜５μｍのポリエステルからなるマイクロファイバーのループパイル又はカットパイルの織編物（ユニチカ社製の製品名ミューフェス（登録商標））を、内径２６ｍｍで長さ９０ｍｍの鞘状に縫い合わせ、図１に示す拭き取りサックを製造した。
なお、実施例１において、カットパイルの毛立長の上限と下限はそれぞれ毛立長の最大値と最小値を採用した。又、実施例２はループパイルとカットパイルを混合織りしたものであり、毛立長の上限と下限はループパイルとカットパイルのうち毛立長の最大値と最小値を採用した。
【００１６】
比較例１として、マイクロファイバーを平織りしたシート状の市販のメガネ拭きを用意した。
比較例２として、ループパイルの毛立長を５ｍｍに変更したこと以外は各実施例と同様にして拭き取りサックを製造した。
比較例３として、カットパイルの毛立長を５ｍｍに変更したこと以外は各実施例と同様にして拭き取りサックを製造した。
【００１７】
そして、各拭き取りサックについて、被検者の親指と人差し指にそれぞれ１対の拭き取りサックの一方を入れ、親指と人差し指とでメガネを摘むようにして、メガネの各部位の汚れの拭き取りを行った。拭き取り性を以下の基準で評価した。
○：汚れを簡易に拭き取れた
×：細かな隙間が拭き取り難い
又、拭き取りの際、メガネの各種構造物（凹凸）への引っ掛かりの有無を評価した。
【００１８】
得られた結果を表１に示す。
【００１９】
【表１】
2011194168.tif 000003
【００２０】
表１から明らかなように、各実施例の場合、メガネの平面部（レンズ）、凹凸部ともに拭き取り性に優れ、かつメガネの各種構造物（凹凸）への引っ掛かりがなかった。
一方、平織りシートをそのまま拭き取りの用いた比較例１の場合、凹凸部へシートが入り込まず、凹凸部が拭き取り難かった。
ループパイルの毛立長が１．５ｍｍを超えた比較例２の場合、メガネの各種構造物（凹凸）にパイルのループ部が引っ掛かった。
カットパイルの毛立長が３．０ｍｍを超えた比較例３の場合、メガネの各種構造物（凹凸）にパイルの先端が引っ掛かった（絡まった）。
【符号の説明】
【００２１】
２                      外表面の少なくとも一部（織編物）
２ａ                    ループパイル
２ｂ                    カットパイル
４                      開口端
６                      紐
１０                    拭き取りサック
【図１】
2011194168.tif 000004
【図２】
2011194168.tif 000005